(57)【要約】【課題】長期間の使用においても耐久性を向上させることのできるドライラックを提供する。【解決手段】ベースフレーム部１と、バックフレーム部２と、複数のリーフ３とを備えたドライラックにおいて、リーフ３の基端部の両端には互いに反対方向に突出する回動軸が設けられ、バックフレーム部２には回動軸が挿入されてリーフを回動可能に軸支する回動孔が設けられている。リーフ３は、リーフ３が略水平である使用位置と、リーフ３の先端部が斜め上方に持ち上げられた保管位置との間を回動可能であり、ベースフレーム部１の前方には、使用位置において、最下段のリーフ３の先端部が当接する前ベースフレーム１０が配置されている。前ベースフレーム１０には、最下段のリーフ３の先端部の当接による塗装剥離を防止する剥離防止プレート１５が設けられている。【選択図】図７
0003211881.tif 000002
【実用新案登録請求の範囲】
【請求項１】
水平状のベースフレーム部と、該ベースフレーム部の後方に立設されたバックフレーム部と、該バックフレーム部から該ベースフレーム部の上方に略水平に突出して支持された複数のリーフとを備えたドライラックにおいて、
該リーフの基端部の両端には互いに反対方向に突出する回動軸が設けられ、該バックフレーム部には該回動軸が挿入されて該リーフを回動可能に軸支する回動孔が設けられ、
該リーフは、該リーフが略水平である使用位置と、該リーフの先端部が斜め上方に持ち上げられた保管位置との間を回動可能であり、
該ベースフレーム部の前方には、該使用位置において、最下段の該リーフの先端部が当接する前ベースフレームが配置され、
該前ベースフレームには、最下段の該リーフの先端部の当接による塗装剥離を防止する剥離防止プレートが設けられていることを特徴とするドライラック。
【請求項２】
水平状のベースフレーム部と、該ベースフレーム部の後方に立設されたバックフレーム部と、該バックフレーム部から該ベースフレーム部の上方に略水平に突出して支持された複数のリーフとを備えたドライラックにおいて、
該リーフの基端部の両端には互いに反対方向に突出する回動軸が設けられ、該バックフレーム部には該回動軸が挿入されて該リーフを回動可能に軸支する回動孔が設けられ、
該リーフは、該リーフが略水平である使用位置と、該リーフの先端部が斜め上方に持ち上げられた保管位置との間を回動可能であり、
該ベースフレーム部の前方には、該使用位置において、最下段の該リーフの先端部が当接する前ベースフレームが配置され、
該バックフレーム部には、該リーフの回動による塗装剥離を防止する剥離防止プレートが設けられていることを特徴とするドライラック。
【請求項３】
前記ベースフレーム部は、前記前ベースフレームの両端から後方に向かって水平に延在する左ベースフレームと右ベースフレームとを有し、後方に開口部が形成された略コ型の形状をなし、
該左ベースフレーム、右ベースフレームの間隔は後方に向かって幅広にされ、該開口部から他のドライラックのベースフレーム部の前方部分を挿入可能であり、
最下段の前記リーフの先端部には、前記使用位置において、前記前ベースフレームと当接するフラットプレートが設けられていることを特徴とする請求項１又は２記載のドライラック。
【請求項４】
前記左ベースフレーム、右ベースフレームの内側と外側とには、前記開口部から他のドライラックの挿入による塗装剥離を防止する剥離防止プレートが設けられていることを特徴とする請求項３記載のドライラック。
【請求項５】
前記バックフレーム部の内側には、前記開口部から挿入される他のドライラックの進入を規制するストッパプレートが設けられていることを特徴とする請求項３又は４記載のドライラック。
【請求項６】
前記リーフは、該リーフに設けられたスプリング掛止具と、前記バックフレーム部に設けられたスプリング掛止孔との間に掛着されたスプリングにより、前記使用位置から前記保管位置に持ち上げられ、
該スプリングは、コイルばね本体と、該コイルばね本体の一端から外側に鉤状に突出した第１掛止部と、該コイルばね本体の他端から環状に突出した第２掛止部とからなり、
該第１掛止部は、該コイルばね本体の長手方向より鉤状方向に傾斜する傾斜角を有し、
該傾斜角は、５度以上１５度以下であることを特徴とする請求項１乃至５のいずれか１項記載のドライラック。
【請求項７】
前記リーフの先端部には、上下段の該リーフの先端部と当接して支え合う複数の支え金具が取り付けられ、
該支え金具は、該リーフの回動時に、下段の該リーフの先端部が該支え金具の傾斜面を摺動する三角形状の断面を有することを特徴とする請求項１乃至６のいずれか１項記載のドライラック。
【考案の詳細な説明】
【技術分野】
【０００１】
本考案は、被印刷物等を乾燥させるドライラックであり、特に、スクリーン印刷により印刷されたシート状被印刷物を乾燥させるドライラックに関する。
【背景技術】
【０００２】
従来、スクリーン印刷により印刷されたシート状被印刷物を乾燥させるドライラックとして、図１４に示すものが知られている。このドライラックは、水平状のベースフレーム部９０と、ベースフレーム部９０の後方に立設されたバックフレーム部９１と、バックフレーム部９１からベースフレーム部９０の上方に略水平に突出して支持された複数のリーフ９２とを備えている。一般に、ベースフレーム部９０、バックフレーム部９１は鋼製で塗装が施され、リーフ９２はステンレス製で網状に形成されている。
【０００３】
このドライラックでは、各リーフ９２は、各リーフ９２が略水平に積層された使用位置Ａと、各リーフ９２の先端が斜め上方に持ち上げられた保管位置Ｂとの間を回動可能にされている。そして、使用位置Ａにおいて、各リーフ９２にシート状被印刷物が載置されて乾燥される。また、乾燥が終了すると、ドライラックは各リーフ９２の先端が斜め上方に持ち上げられた保管位置Ｂの状態で保管される。このようなドライラックとして、特許文献１、２に示したものがある。
【先行技術文献】
【特許文献】
【０００４】
【特許文献１】登録実用新案３０５６４１６号公報
【特許文献２】特開２００３−３４４５９号公報
【考案の概要】
【考案が解決しようとする課題】
【０００５】
しかし、上記従来のドライラックでは、各リーフが使用位置と保管位置との間を回動するため、長期間の使用によりドライラックの塗装が剥離して耐久性が低下してしまう。
【０００６】
本考案はかかる従来の問題点に鑑みてなされたものであり、長期間の使用においても耐久性を向上させることのできるドライラックを提供するものである。
【課題を解決するための手段】
【０００７】
上記の課題を解決するために、請求項１に係るドライラックの特徴は、水平状のベースフレーム部と、該ベースフレーム部の後方に立設されたバックフレーム部と、該バックフレーム部から該ベースフレーム部の上方に略水平に突出して支持された複数のリーフとを備えたドライラックにおいて、該リーフの基端部の両端には互いに反対方向に突出する回動軸が設けられ、該バックフレーム部には該回動軸が挿入されて該リーフを回動可能に軸支する回動孔が設けられ、該リーフは、該リーフが略水平である使用位置と、該リーフの先端部が斜め上方に持ち上げられた保管位置との間を回動可能であり、該ベースフレーム部の前方には、該使用位置において、最下段の該リーフの先端部が当接する前ベースフレームが配置され、該前ベースフレームには、最下段の該リーフの先端部の当接による塗装剥離を防止する剥離防止プレートが設けられていることである。
【０００８】
請求項２に係るドライラックの特徴は、水平状のベースフレーム部と、該ベースフレーム部の後方に立設されたバックフレーム部と、該バックフレーム部から該ベースフレーム部の上方に略水平に突出して支持された複数のリーフとを備えたドライラックにおいて、該リーフの基端部の両端には互いに反対方向に突出する回動軸が設けられ、該バックフレーム部には該回動軸が挿入されて該リーフを回動可能に軸支する回動孔が設けられ、該リーフは、該リーフが略水平である使用位置と、該リーフの先端部が斜め上方に持ち上げられた保管位置との間を回動可能であり、該ベースフレーム部の前方には、該使用位置において、最下段の該リーフの先端部が当接する前ベースフレームが配置され、該バックフレーム部には、該リーフの回動による塗装剥離を防止する剥離防止プレートが設けられていることである。
【０００９】
請求項３に係るドライラックの特徴は、前記ベースフレーム部は、前記前ベースフレームの両端から後方に向かって水平に延在する左ベースフレームと右ベースフレームとを有し、後方に開口部が形成された略コ型の形状をなし、該左ベースフレーム、右ベースフレームの間隔は後方に向かって幅広にされ、該開口部から他のドライラックのベースフレーム部の前方部分を挿入可能であり、最下段の前記リーフの先端部には、前記使用位置において、前記前ベースフレームと当接するフラットプレートが設けられていることである。
【００１０】
請求項４に係るドライラックの特徴は、前記左ベースフレーム、右ベースフレームの内側と外側とには、前記開口部から他のドライラックの挿入による塗装剥離を防止する剥離防止プレートが設けられていることである。
【００１１】
請求項５に係るドライラックの特徴は、前記バックフレーム部の内側には、前記開口部から挿入される他のドライラックの進入を規制するストッパプレートが設けられていることである。
【００１２】
請求項６に係るドライラックの特徴は、前記リーフは、該リーフに設けられたスプリング掛止具と、前記バックフレーム部に設けられたスプリング掛止孔との間に掛着されたスプリングにより、前記使用位置から前記保管位置に持ち上げられ、該スプリングは、コイルばね本体と、該コイルばね本体の一端から外側に鉤状に突出した第１掛止部と、該コイルばね本体の他端から環状に突出した第２掛止部とからなり、該第１掛止部は、該コイルばね本体の長手方向より鉤状方向に傾斜する傾斜角を有し、該傾斜角は、５度以上１５度以下であることである。
【００１３】
請求項７に係るドライラックの特徴は、前記リーフの先端部には、上下段の該リーフの先端部と当接して支え合う複数の支え金具が取り付けられ、該支え金具は、該リーフの回動時に、下段の該リーフの先端部が該支え金具の傾斜面を摺動する三角形状の断面を有することである。
【考案の効果】
【００１４】
請求項１に係るドライラックにおいては、ベースフレーム部の前方には前ベースフレームが配置され、この前ベースフレームには剥離防止プレートが設けられている。そのため、使用位置において、最下段のリーフの先端部は剥離防止プレートと当接し、前ベースフレームに直接当接することがない。これにより、リーフの回動によるベースフレーム部の塗装の剥離を防止することができる。ここで、前ベースフレームに剥離防止プレートが取り付けられていない場合は、リーフが保管位置から使用位置にされると、最下段のリーフに取り付けられた支え金具が前ベースフレームに直接当接してしまう。そのため、このようなドライラックを長期間使用すると、前ベースフレームの塗装が剥離してドライラックの耐久性が低下してしまうことになる。しかし、前ベースフレームに剥離防止プレートを取り付ければ、リーフが保管位置から使用位置にされても、支え金具はステンレス製の剥離防止プレートと当接するだけである。そのため、支え金具が前ベースフレームに直接当接することがなく、前ベースフレームの塗装剥離を防止することができる。したがって、請求項１に係るドライラックによれば、長期間の使用においても耐久性を向上させることができる。
【００１５】
請求項２に係るドライラックにおいては、バックフレーム部に剥離防止プレートが設けられているため、リーフの回動によりバックフレーム部の塗装が剥離するのを防止することができる。すなわち、各リーフの基端部の両端には互いに反対方向に突出する回動軸が設けられ、バックフレーム部には回動軸が挿入されてリーフを回動可能に軸支する回動孔が設けられている。そして、各リーフは、リーフが略水平である使用位置と、リーフの先端部が斜め上方に持ち上げられた保管位置との間を回動軸回りに回動するようになっている。ここで、バックフレーム部に剥離防止プレートが設けられていない場合は、リーフの回動に伴いリーフはバックフレーム部の表面を摺動するため、長期間の使用によりドライラックの塗装が剥離してしまう。これに対し、バックフレーム部に剥離防止プレートが設けられている場合は、リーフは剥離防止プレートの表面を摺動するためバックフレーム部の表面を摺動することがなく、ドライラックの塗装の剥離を防止することができる。したがって、請求項２に係るドライラックによれば、長期間の使用においても耐久性を向上させることができる。
【００１６】
請求項３に係るドライラックにおいては、右ベースフレームと左ベースフレームとの間隔が後方に向かって幅広にされ、開口部から他のドライラックのベースフレーム部の前方部分を挿入可能なドライラックで、最下段のリーフの先端部にはフラットプレートが設けられている。そして、使用位置において、このフラットプレートが前ベースフレームと当接するようになっている。そのため、最下段のリーフの先端部が受ける荷重をフラットプレート全体で受けるとともに、フラットプレートと前ベースフレームとが当接する広い面積を介して、前ベースフレームに伝えることができる。これにより、最下段のリーフが壊れ難くなり、耐久性を向上させることができる。
【００１７】
請求項４に係るドライラックにおいては、右ベースフレームと左ベースフレームとの間隔が後方に向かって幅広にされ、開口部から他のドライラックのベースフレーム部の前方部分を挿入可能なドライラックで、右ベースフレーム、左ベースフレームの内側と外側とに剥離防止プレートが設けられている。そのため、開口部から他のドライラックが挿入された場合、右ベースフレーム、左ベースフレーム同士が直接接触することがなく、ドライラックの塗装の剥離を防止することができる。
【００１８】
請求項５に係るドライラックにおいては、開口部から挿入される他のドライラックの進入を規制するストッパプレートがバックフレーム部の内側に設けられているため、他のドライラックの進入を所定の位置で止め、複数のドライラックを整然と揃えることができる。また、リーフがバックフレーム部に直接接触することがないため、ドライラックの塗装の剥離を防止することができる。
【００１９】
請求項６に係るドライラックにおいては、各リーフは、リーフに設けられたスプリング掛止具と、バックフレーム部に設けられたスプリング掛止孔との間に掛着されたスプリングにより、使用位置から保管位置に持ち上げられる。このスプリングは、コイルばね本体と、コイルばね本体の一端から外側に鉤状に突出した第１掛止部と、コイルばね本体の他端から環状に突出した第２掛止部とからなっている。そして、第１掛止部は、コイルばね本体の長手方向より鉤状方向に傾斜する５度以上１５度以下の間の傾斜角を有している。そのため、リーフが回動する場合に、スプリングがバックフレーム部の表面を摺動することがなく、リーフの回動によるバックフレーム部の塗装の剥離を防止することができる。ここで、傾斜角が５度より小さい場合はスプリングがバックフレーム部の表面を摺動してしまい、傾斜角が１５度より大きい場合はリーフが円滑に回動しなくなる。
【００２０】
請求項７に係るドライラックにおいては、リーフの先端部には、上下段のリーフの先端部と当接して支え合う複数の支え金具が取り付けられている。この支え金具は三角形状の断面を有し、リーフの回動時に、下段のリーフの先端部が傾斜面を摺動するようになっている。そのため、リーフを保管位置、使用位置にするため、複数のリーフを同時に持ち上げたり、下げたりすることができ、作業効率を上げることができる。
【図面の簡単な説明】
【００２１】
【図１】実施形態１のドライラックに係り、使用位置にあるドライラックの正面図。
【図２】実施形態１のドライラックに係り、使用位置にあるドライラックの側面図。
【図３】実施形態１のドライラックに係り、リーフが保管位置にあるドライラックの側面図。
【図４】実施形態１のドライラックに係り、リーフが使用位置にあるドライラックの背面図。
【図５】実施形態１のドライラックに係り、リーフが使用位置にあるドライラックの平面図。
【図６】実施形態１のドライラックに係り、ベースフレーム部の平面図。
【図７】実施形態１のドライラックに係り、リーフが使用位置にあるドライラックの斜視図。
【図８】実施形態１のドライラックに係り、リーフが使用位置にあるドライラックの一部拡大平面図。
【図９】実施形態１、２のドライラックに係り、バックフレーム部の一部拡大斜視図。
【図１０】実施形態１、２のドライラックに係り、スプリングの正面図、及び平面図。
【図１１】実施形態１、２のドライラックに係り、支え金具の正面図及び平面図。
【図１２】実施形態２のドライラックに係り、ベースフレーム部の平面図。
【図１３】実施形態２のドライラックに係り、リーフが使用位置にあるドライラックの斜視図。
【図１４】従来のドライラックの側面図。
【考案を実施するための形態】
【００２２】
本考案に係るドライラックをスクリーン印刷により印刷されたシート状被印刷物を乾燥させるドライラックに具体化した実施形態１、２を図面に基づいて以下に説明する。まず、実施形態１のドライラックについて説明する。図１はリーフ３が使用位置にあるドライラックの正面図であり、図２は使用位置にあるドライラックの側面図である。また、図３はリーフ３が保管位置にあるドライラックの側面図である。図１から図３に示すように、このドライラックは、水平状のベースフレーム部１と、ベースフレーム部１の後方に立設されたバックフレーム部２と、バックフレーム部２からベースフレーム部１の上方に略水平に突出して支持された複数のリーフ３とを備えている。そして、リーフ３の先端部には支え金具３５が取り付けられ、この支え金具３５が上下段のリーフ３の支え金具３５と当接して互いに支え合うようになっている。
【００２３】
ベースフレーム部１、バックフレーム部２は鋼製で表面に塗装が施され、リーフ３はステンレス製で網状に形成されている。そして、リーフ３は、バックフレーム部２に支点を有して、使用位置と保管位置との間を回動可能にされている。ここで、使用位置とはリーフ３が略水平に積層された位置であり、保管位置とはスプリング４によりリーフ３の先端が斜め上方に持ち上げられた位置である。使用位置において、各リーフ３の網上にシート状被印刷物を載置した後、ドライラックが乾燥機に運搬されてシート状被印刷物が乾燥される。乾燥が終了した後、各リーフ３の網上からシート状被印刷物を取出し、リーフ３の先端を斜め上方に持ち上げて保管位置にする。そして、この状態においてドライラックが保管される。なお、ベースフレーム部１に取り付けられたキャスター１４により、ドライラックを容易に移動することができる。
【００２４】
次に、バックフレーム部２、リーフ３、及びベースフレーム部１について説明する。図４はリーフ３が使用位置にあるドライラックの背面図であり、図５はリーフ３が使用位置にあるドライラックの平面図である。また、図６はベースフレーム部の平面図であり、図７はドライラックの斜視図である。図４に示すように、バックフレーム部２は、上バックフレーム２０、左バックフレーム２１、及び右バックフレーム２２を有している。上バックフレーム２０は上方に水平に配置され、上バックフレーム２０の両端から左バックフレーム２１、右バックフレーム２２が鉛直下方に連結されている。なお、補強のため、上バックフレーム２０の下方に１つ以上のフレームを配置してもよい。
【００２５】
図５に示すように、リーフ３は、前枠３０、左枠３１、右枠３２、及び後枠３３により四角形状の外枠とされ、その内側が網状に形成されている。後枠３３の両端には互いに反対方向に突出する回動軸３３ａが設けられ、左バックフレーム２１、右バックフレーム２２に設けられた後述する回動孔に挿入されてリーフ３が回動可能に軸支されている。また、左枠３１、右枠３２の後枠３３寄りには、スプリング４が掛止されるスプリング掛止具３４が設けられている。さらに、前枠３０には、上下段のリーフ３の先端部と当接して支え合う支え金具３５が前枠３０の両端と中央に計３つ取り付けられている。なお、前枠３０の両端にのみ支え金具３５を計２つ取り付けてもよい。
【００２６】
図６、及び図７にも示すように、ベースフレーム部１は、前ベースフレーム１０、左ベースフレーム１１、右ベースフレーム１２、及び後ベースフレーム１３により四角形状に構成されている。後ベースフレーム１３の両端には、左バックフレーム２１、右バックフレーム２２が立設されている。また、リーフ３の使用位置において、前ベースフレーム１０、左ベースフレーム１１、右ベースフレーム１２の上方には、リーフ３の前枠３０、左枠３１、右枠３２が位置するようになっている。さらに、前ベースフレーム１０の両端、及び中央にはステンレス製の剥離防止プレート１５が取り付けられている。この剥離防止プレート１５の取り付け位置は、リーフ３の使用位置において、最下段のリーフ３に取り付けられた支え金具３５が当接する位置である。
【００２７】
ここで、前ベースフレーム１０に剥離防止プレート１５が取り付けられていない場合は、リーフ３が保管位置から使用位置にされると、最下段のリーフ３に取り付けられた支え金具３５が前ベースフレーム１０に直接当接してしまう。そのため、このようなドライラックを長期間使用すると、前ベースフレーム１０の塗装が剥離してドライラックの耐久性が低下してしまうことになる。しかし、前ベースフレーム１０に剥離防止プレート１５を取り付ければ、リーフ３が保管位置から使用位置にされても、支え金具３５はステンレス製の剥離防止プレート１５と当接するだけである。そのため、支え金具３５が前ベースフレーム１０に直接当接することがなく、前ベースフレーム１０の塗装剥離を防止することができる。なお、ベースフレーム部１の四隅には、ドライラックを乾燥機に運搬する場合や、保管する場合等にドライラックの移動を容易にするキャスター１４が取り付けられている。
【００２８】
図８はリーフ３が使用位置にあるドライラックの一部拡大平面図であり、図９はバックフレーム部の一部拡大斜視図である。図８、及び図９に示すように、後ベースフレーム１３の両端に立設された左バックフレーム２１、右バックフレーム２２には、第１フランジ２１ａ、２２ａの方が第２フランジ２１ｂ、２２ｂよりもフランジ幅の広い溝型鋼が採用されている。そして、左バックフレーム２１、右バックフレーム２２は、第１フランジ２１ａ、２２ａが対向して配置されている。なお、左バックフレーム２１、右バックフレーム２２の上端は、互いに上バックフレーム２０により連結されている。
【００２９】
第１フランジ２１ａ、２２ａには長手方向に等間隔で複数の回動孔２１ｃ、２２ｃが貫設され、第２フランジ２１ｂ、２２ｂには長手方向に等間隔で複数のスプリング掛止孔２１ｄ、２２ｄが貫設されている。また、第１フランジ２１ａ、２２ａの対向面には、ステンレス製の剥離防止プレート２５が長手方向に設けられている。この剥離防止プレート２５には長手方向に等間隔で複数の回動孔２５ａが貫設され、回動孔２５ａと回動孔２１ｃ、２２ｃの位置は完全に一致している。
【００３０】
そして、回動孔２１ｃ、２５ａと回動孔２２ｃ、２５ａには、リーフ３の後枠３３の両端から反対方向に突出する回動軸３３ａが挿入されて、リーフ３が回動可能に軸支されている。また、スプリング４の第１掛止部４１がスプリング掛止孔２１ｄ、２２ｄに掛止され、第２掛止部４２がリーフ３の左枠３１、右枠３２に設けられたスプリング掛止具３４に掛止されている。これにより、リーフ３はスプリング４により、使用位置から保管位置に持ち上げられる。
【００３１】
ここで、第１フランジ２１ａ、２２ａの対向面に剥離防止プレート２５が設けられていない場合は、リーフ３の回動に伴いリーフ３は第１フランジ２１ａ、２２ａの回動孔２１ｃ、２２ｃの周りの表面を摺動するため、長期間の使用により左バックフレーム２１、右バックフレーム２２の塗装が剥離してしまう。しかし、第１フランジ２１ａ、２２ａの対向面に剥離防止プレート２５を取り付ければ、リーフ３はステンレス製の剥離防止プレート２５の表面を摺動するため、左バックフレーム２１、右バックフレーム２２の表面を摺動することがなく、左バックフレーム２１、右バックフレーム２２の塗装の剥離を防止することができる。
【００３２】
次に、スプリング４について詳細に説明する。図１０に示すように、スプリング４は、引張りばねであるコイルばね本体４０と、コイルばね本体４０の一端から外側に鉤状に突出した第１掛止部４１と、コイルばね本体４０の他端から環状に突出した第２掛止部４２とからなっている。そして、第１掛止部４１は、コイルばね本体４０の長手方向より鉤状方向に傾斜角θで傾斜している。この傾斜角θは、５度以上１５度以下の間の角度である。そのため、リーフ３が回動する場合に、スプリング４が左バックフレーム２１、右バックフレーム２２の表面を摺動することがなく、リーフ３の回動によるバックフレーム部２の塗装の剥離を防止することができる。ここで、傾斜角θが５度より小さい場合はスプリング４が左バックフレーム２１、右バックフレーム２２の表面を摺動してしまい、傾斜角が１５度より大きい場合はリーフ３が円滑に回動しなくなる。なお、スプリング４は、使用位置においてはリーフ３が安定し、使用位置からリーフ３の先端部を持ち上げると適切な引張り力で保管位置まで持ち上がるように、リーフ３に加わる重力等を考慮してばね定数等が設計されている。
【００３３】
次に、支え金具３５について詳細に説明する。この支え金具３５は、長方形状のステンレス板を折り曲げ加工することにより製造される。図１１に示すように、支え金具３５は、上段のリーフ３が当接する上面３５ａ、曲面３５ｂ、垂下面３５ｃ、傾斜面３５ｄ、下面３５ｅとから成っている。上面３５ａは平面状であり、曲面３５ｂは上面３５ａより連続して断面半円形状に形成されている。垂下面３５ｃは曲面３５ｂより連続して上面３５ａと略垂直に平面状に形成され、傾斜面３５ｄは垂下面３５ｃより連続して上面３５ａ方向に傾斜して平面状に形成される。垂下面３５ｃと傾斜面３５ｄとにより三角形状の断面の２辺が形成される。また、下面３５ｅは傾斜面３５ｄより連続して上面３５ａと略平行に中央部が下方に半円状に膨らんで形成される。そして、上面３５ａと下面３５ｅとにより開口３５ｆが形成される。この開口３５ｆよりリーフ３の前枠３０が嵌入され、曲面３５ｂ内に前枠３０が収納されて、リーフ３に支え金具３５が取り付けられる。なお、リーフ３の回動時には、傾斜面３５ｄに下段のリーフ３の曲面３５ｂが摺動するようになっている。これにより、複数のリーフ３を重ねたまま同時に回動させることができる。
【００３４】
上記の構成をしたドライラックの使用例を説明する。まず、すべてのリーフ３が保管位置にある状態から、最下段のリーフ３の先端部を押し下げて使用位置にした後、リーフ３の網上にシート状被印刷物を載置する。そして、より下段のリーフ３から順番に１枚ずつ同様の操作を最上段のリーフ３まで繰り返す。すべてのリーフ３の網上にシート状被印刷物を載置した後、ドライラックを乾燥機に搬入して、シート状被印刷物が乾燥される。乾燥が終了した後、ドライラックを乾燥機から搬出する。所定位置にドライラックを移動して、最上段のリーフ３からシート状被印刷物を取出した後、リーフ３の先端を斜め上方に持ち上げて最上段のリーフ３を保管位置にする。そして、より上段のリーフ３から順番に１枚ずつ同様の操作を最下段のリーフ３まで繰り返す。すべてのリーフ３の網上からシート状被印刷物を取り出した後、ドライラックを所定位置に移動させて保管する。
【００３５】
実施形態１に係るドライラックにおいては、ベースフレーム部１の前方には前ベースフレーム１０が配置され、この前ベースフレーム１０には剥離防止プレート１５が設けられている。そのため、使用位置において、最下段のリーフ３の先端部は剥離防止プレート１５と当接し、前ベースフレーム１０に直接当接することがない。これにより、リーフ３の回動によるベースフレーム部１の塗装の剥離を防止することができる。したがって、このドライラックによれば、長期間の使用においても耐久性を向上させることができる。
【００３６】
また、このドライラックにおいては、バックフレーム部２の左バックフレーム２１、右バックフレーム２２に剥離防止プレート２５が設けられているため、リーフ３の回動によりバックフレーム部２の塗装が剥離するのを防止することができる。すなわち、各リーフ３の後枠３３の両端には互いに反対方向に突出する回動軸３３ａが設けられ、バックフレーム部２の左バックフレーム２１、右バックフレーム２２には回動軸３３ａが挿入されてリーフ３を回動可能に軸支する回動孔２１ｃ、２２ｃ、２５ａが設けられている。そして、各リーフ３は、リーフ３が略水平である使用位置と、リーフ３の先端部が斜め上方に持ち上げられた保管位置との間を回動軸３３ａ回りに回動するようになっている。
【００３７】
そして、左バックフレーム２１、右バックフレーム２２に剥離防止プレート２５が設けられているため、リーフ３の回動に伴いリーフ３は剥離防止プレート２５の表面を摺動するため左バックフレーム２１、右バックフレーム２２の表面を摺動することがなく、バックフレーム部２の塗装の剥離を防止することができる。したがって、このドライラックによれば、長期間の使用においても耐久性を向上させることができる。
【００３８】
さらに、このドライラックにおいては、各リーフ３は、リーフ３に設けられたスプリング掛止具３４と、左バックフレーム２１、右バックフレーム２２に設けられたスプリング掛止孔２１ｄ、２２ｄとの間に掛着されたスプリング４により、使用位置から保管位置に持ち上げられる。このスプリング４は、コイルばね本体４０と、コイルばね本体４０の一端から外側に鉤状に突出した第１掛止部４１と、コイルばね本体４０の他端から環状に突出した第２掛止部４２とからなっている。そして、第１掛止部４１は、コイルばね本体４０の長手方向より鉤状方向に傾斜する５度以上１５度以下の間の傾斜角θを有している。そのため、リーフ３が回動する場合に、スプリング４が左バックフレーム２１、右バックフレーム２２の表面を摺動することがなく、リーフ３の回動によるバックフレーム部２の塗装の剥離を防止することができる。
【００３９】
また、このドライラックにおいては、リーフ３の先端部には、上下段のリーフ３の先端部と当接して支え合う複数の支え金具３５が取り付けられている。この支え金具３５は三角形状の断面を有し、リーフ３の回動時に、下段のリーフ３の先端部が傾斜面３５ｄを摺動するようになっている。そのため、リーフ３を保管位置、使用位置にするため、複数のリーフ３を同時に持ち上げたり、下げたりすることができ、作業効率を上げることができる。
【００４０】
次に、実施形態２のドライラックについて図１２、及び図１３を用いて説明する。図１２はベースフレーム部の平面図であり、図１３はドライラックの斜視図である。なお、実施形態２のドライラックは、実施形態１のドライラックと略同様の構成をしているため、同一の構成については同一の符号を用いるものとする。このドライラックは、実施形態１のベースフレーム部１の代わりに、図１２に示すベースフレーム部５を採用している。図１２に示すように、ベースフレーム部５は、前ベースフレーム５０の両端から後方に向かって水平に延在する左ベースフレーム５１と右ベースフレーム５２とを有し、後方に開口部５５が形成された略コ型の形状をなしている。そして、左ベースフレーム５１、右ベースフレーム５２の間隔は後方に向かって幅広にされている。また、開口部５５からは他のドライラックのベースフレーム部５の前方部分を挿入可能である。このような構造のベースフレーム部５を採用することにより、ドライラックを前後方向に重ねることができ、保管スペースの省スペース化を実現することができる。なお、このドライラックはスタックラックとも呼ばれる。
【００４１】
そして、前ベースフレーム５０の両端、及び中央にはステンレス製の剥離防止プレート１５が取り付けられている。また、左ベースフレーム５１、右ベースフレーム５２の内側と外側とには、剥離防止プレート５４、５３が設けられている。これにより、開口部５５から他のドライラックを挿入した場合、剥離防止プレート５４が他のドライラックの剥離防止プレート５３と当接し、左ベースフレーム５１、右ベースフレーム５２同士が直接当接することを防止することができる。
【００４２】
また、図１３に示すように、最下段のリーフ３の前枠３０の長手方向全体にはフラットプレート３７が設けられている。そして、フラットプレート３７は、リーフ３の使用位置において、前ベースフレーム５０の剥離防止プレート１５と直接当接するようになっている。ここで、最下段のリーフ３の前枠３０には、それより上段のすべてのリーフ３の荷重がかかっている。そして、前ベースフレーム５０の長手方向長さが前枠３０の長手方向長さより短いため、前枠３０が受ける荷重を上手く前ベースフレーム５０に伝える必要がある。この方法として、２つの可動枠部を前ベースフレーム５０から前枠３０の長さまで突出させる方法がある（登録実用新案３０５６４１６号公報、図７、図８参照）。しかし、この方法では、可動枠部が壊れやすくなってしまう。その点、前枠３０に取り付けたフラットプレート３７は壊れ難い上、最下段のリーフ３の先端部が受ける荷重をフラットプレート３７全体で受けるとともに、フラットプレート３７と剥離防止プレート１５とが当接する広い面積を介して、前ベースフレーム５０に伝えることができる。また、バックフレーム部２の下方には、下バックフレーム２６が左バックフレーム２１、右バックフレーム２２の下端部を連結して配置されている。この下バックフレーム２６は、開口部５５から他のドライラックを挿入可能な位置に配置されている。
【００４３】
さらに、バックフレーム部２の左バックフレーム２１、右バックフレーム２２の内側には、開口部５５から挿入される他のドライラックの進入を規制するステンレス製のストッパプレート２７が設けられている。ここで、他のドライラックのリーフ３が保管位置にされて開口部５５から挿入されると、左バックフレーム２１、右バックフレーム２２に最初に当接するのは、他のドライラックのフラットプレート３７である。したがって、ストッパプレート２７が設けられる位置は、リーフ３の保管位置におけるフラットプレート３７が当接する位置である。このストッパプレート２７が設けられていない場合、他のドライラックのリーフ３が左バックフレーム２１、右バックフレーム２２に直接当接してしまうと、左バックフレーム２１、右バックフレーム２２の塗装が剥離してしまう。さらには、リーフ３の左右の一方の先端が左バックフレーム２１、右バックフレーム２２の間に入り込んでしまうことも起こり得るため、ドライラックを揃えて重ねることができなくなってしまう。これに対し、左バックフレーム２１、右バックフレーム２２の内側にストッパプレート２７を設ければ、ストッパプレート２７が他のスタックラックのリーフ３の進入を規制するため、スタックラックを所定の位置に揃えて重ねることができる。また、リーフ３がバックフレーム部２に直接接触することがないため、ドライラックの塗装の剥離を防止することができる。
【００４４】
実施形態２に係るドライラックにおいては、最下段のリーフ３の先端部にはフラットプレート３７が設けられ、使用位置において、このフラットプレート３７が剥離防止プレート１５を介して前ベースフレーム５０と当接するようになっている。そのため、最下段のリーフ３の先端部が受ける荷重をフラットプレート３７全体で受けるとともに、前ベースフレーム５０に伝えることができる。これにより、最下段のリーフ３が壊れ難くなり、耐久性を向上させることができる。
【００４５】
また、このドライラックにおいては、左ベースフレーム５１と右ベースフレーム５２の内側と外側とに剥離防止プレート５４、５３が設けられている。そのため、開口部５５から他のドライラックが挿入された場合、左ベースフレーム５１と右ベースフレーム５２同士が直接接触することがなく、ドライラックの塗装の剥離を防止することができる。
【００４６】
さらに、このドライラックにおいては、開口部５５から挿入される他のドライラックの進入を規制するストッパプレート２７が左ベースフレーム５１と右ベースフレーム５２の内側に設けられているため、他のドライラックの進入を所定の位置で止め、複数のドライラックを整然と揃えることができる。また、リーフ３が左ベースフレーム５１と右ベースフレーム５２に直接接触することがないため、ドライラックの塗装の剥離を防止することができる。その他の作用、効果は実施形態１と同様である。
【００４７】
以上、本考案のドライラックを実施形態１、２に即して説明したが、本考案はこれらに制限されるものではなく、本考案の技術的思想に反しない限り、適宜変更して適用できることはいうまでもない。
【符号の説明】
【００４８】
１、５…ベースフレーム部、２…バックフレーム部、３…リーフ、４…スプリング、１０…前ベースフレーム、１１、５１…左ベースフレーム、１２、５２…右ベースフレーム、１５、２５、５３、５４…剥離防止プレート、２１ｃ、２２ｃ、２５ａ…回動孔、２１ｄ、２２ｄ…スプリング掛止孔、２７…ストッパプレート、３３ａ…回動軸、３４…スプリング掛止具、３５…支え金具、３５ｄ…傾斜面、３７…フラットプレート、４０…コイルばね本体、４１…第１掛止部、４２…第２掛止部、５５…開口部。
【図１】
0003211881.tif 000003
【図２】
0003211881.tif 000004
【図３】
0003211881.tif 000005
【図４】
0003211881.tif 000006
【図５】
0003211881.tif 000007
【図６】
0003211881.tif 000008
【図７】
0003211881.tif 000009
【図８】
0003211881.tif 000010
【図９】
0003211881.tif 000011
【図１０】
0003211881.tif 000012
【図１１】
0003211881.tif 000013
【図１２】
0003211881.tif 000014
【図１３】
0003211881.tif 000015
【図１４】
0003211881.tif 000016